(57)【要約】【課題】測定器と入力端末の両方を一人の人間が持ち、単独で測定作業及び測定結果の入力（記録）を可能とする測定記録支援システムを提供する。【解決手段】測定器１と、情報処理装置２と、情報処理装置２に通信可能に接続されたマイクロフォン４及び表示器３とを有する測定記録支援システムであって、測定器１と情報処理装置２は通信可能に接続され、測定器１は、対象の測定を行い、測定結果を情報処理装置２に出力し、情報処理装置２は、マイクロフォン４を通じてユーザから受付けた音声に基づき、前記測定結果を受信して記録し、前記測定結果を表示器３に外部出力させる構成とした。【選択図】図１
2020187673.tif 000002
【特許請求の範囲】
【請求項１】
測定器と、情報処理装置と、前記情報処理装置に通信可能に接続されたマイクロフォン及び出力手段とを有する測定記録支援システムであって、
前記測定器と前記情報処理装置は通信可能に接続され、
前記測定器は、対象の測定を行い、測定結果を前記情報処理装置に出力し、
前記情報処理装置は、前記マイクロフォンを通じてユーザから受付けた音声に基づき、前記測定結果を受信して記録し、前記測定結果を前記出力手段に外部出力させることを特徴とする、測定記録支援システム。
【請求項２】
前記測定器が、ユーザから受付けた音声に基づき、対象の測定を行うことを特徴とする、請求項１に記載の測定記録支援システム。
【請求項３】
前記出力手段が、ユーザが掛けて使用する眼鏡型の表示器であり、当該表示器は、測定結果を前記ユーザの眼前に表示することを特徴とする、請求項１又は２に記載の測定記録支援システム。
【請求項４】
前記出力手段が、スピーカであり、当該スピーカは、測定結果を音声として出力することを特徴とする、請求項１〜３のいずれかに記載の測定記録支援システム。
【発明の詳細な説明】
【技術分野】
【０００１】
本発明は、各種の測定業務を支援する測定記録支援システムに関するものである。
【背景技術】
【０００２】
従来から、建設工事や設備の点検に伴う各種の測定業務を行う際には、原則的に「測定器を持って、実際に測定を行う人物」と、「タブレットＰＣ等の入力端末を持ち、当該入力端末に測定結果を入力（記録）する人物」の少なくとも２名が必要である。
【０００３】
しかし、測定器と入力端末の両方を一人の人間が持ち、単独で測定及び測定結果の入力（記録）業務を行いたいとの要請がある。
【０００４】
この要請に応じるために解決しなければならない問題点は以下の２点である。入力端末に対し、測定結果を入力する操作を行わなければならない。また、入力端末のディスプレイにおいて、測定結果が正しく入力されたことを確認しなければならない。
【０００５】
このように、従来は、入力端末に対する入力操作と入力された測定結果の確認が必要であるため、測定そのものを行う人物とは別に、入力端末を所持し、操作する人物が必要であった。
【０００６】
例えば、特許文献１では、電流測定値を内部に記録し、当該電流測定値をＵＳＢ通信により、パーソナルコンピュータ等の外部機器へ送信可能な構成が開示されている。
【先行技術文献】
【特許文献】
【０００７】
【特許文献１】特開２０１２−１６３４４６号公報
【発明の概要】
【発明が解決しようとする課題】
【０００８】
しかしながら、特許文献１の構成では、測定した測定値を内部に記録し、測定後に外部機器に出力することはできるものの、例えば、その測定値が、建物内のどの箇所のものであるかまでは記録できない。また、照度計とデジタルマルチメータ等の複数種類の測定器で得た複数種類の項目に係る、測定結果をまとめて記録したい場合には、別途、入力端末に各測定結果を入力し、まとめる必要がある。
【０００９】
従ってやはり、測定時に、測定そのものを行う人物とは別に、入力端末を所持し、測定値を端末に入力する人物が必要となる。
【００１０】
そこで本発明は、上記問題点に対処するため、測定器と入力端末の両方を一人の人間が持ち、単独で測定作業及び測定結果の入力（記録）を可能とする測定記録支援システムを提供することを目的とする。
【課題を解決するための手段】
【００１１】
前記目的を達成するため、請求項１に係る発明は、
測定器と、情報処理装置と、前記情報処理装置に通信可能に接続されたマイクロフォン及び出力手段とを有する測定記録支援システムであって、
前記測定器と前記情報処理装置は通信可能に接続され、
前記測定器は、対象の測定を行い、測定結果を前記情報処理装置に出力し、
前記情報処理装置は、前記マイクロフォンを通じてユーザから受付けた音声に基づき、前記測定結果を受信して記録し、前記測定結果を前記出力手段に外部出力させる、測定記録支援システムとした。
【００１２】
また、請求項２に係る発明は、
前記測定器が、ユーザから受付けた音声に基づき、対象の測定を行う、請求項１に記載の測定記録支援システムとした。
【００１３】
また、請求項３に係る発明は、
前記出力手段が、ユーザが掛けて使用する眼鏡型の表示器であり、当該表示器は、測定結果を前記ユーザの眼前に表示する、請求項１又は２に記載の測定記録支援システムとした。
【００１４】
また、請求項４に係る発明は、
前記出力手段が、スピーカであり、当該スピーカは、測定結果を音声として出力する、請求項１〜３のいずれかに記載の測定記録支援システムとした。
【発明の効果】
【００１５】
本発明は、ユーザは、音声で情報処理装置を操作して、測定結果を入力することができ、また、入力された測定結果を出力手段によって確認できるため、測定器を手に持って操作しなければならない等、手が塞がっている場合であっても、一人の人員で、対象の測定と情報処理装置への測定結果の入力（記録）を行うことができるため、便宜である。
【００１６】
特に、例えば、測定対象が複数あり、測定器を手に持って、移動しながら各測定対象を測定しなければならない場合であっても、対象の測定と情報処理装置への測定結果の入力（記録）を的確に行うことができる。また、例えば、複数種類の測定器を持ち替え、複数種類の項目について、対象を測定しなければならない場合であっても、対象の測定と情報処理装置への測定結果の入力（記録）を的確に行うことができる。
【図面の簡単な説明】
【００１７】
【図１】本発明の実施の形態例１の測定記録支援システムの全体的な構成を例示的に示す図である。
【図２】本発明の実施の形態例１の測定記録支援システムの処理の流れを示した流れ図である。
【図３】本発明の実施の形態例１の測定記録支援システムの処理の流れを示した流れ図である。
【発明を実施するための形態】
【００１８】
（実施の形態例１）
以下、添付図面を参照して本発明に係る実施の形態例１を詳細に説明する。ただし、本実施の形態例に記載されている構成要素はあくまでも例示であり、本発明の範囲をそれらのみに限定する趣旨のものではない。
【００１９】
＜測定記録支援システムの構成＞
図１を用いて測定記録支援システムの構成について、説明する。測定記録支援システムは、主として、測定器１と情報処理装置２から構成されている。そして、測定器１と情報処理装置２は、各種通信方式を用いて、有線又は無線で相互に情報通信可能に接続される。なお、本実施の形態例では、通信方式として、BLE（Bluetooth（登録商標） Low Energy）を用いて接続される。
【００２０】
測定器１は、例えば、照度計、絶縁抵抗計、ＤＭＭ（DigitalMulti Meter）、
コンセントチェッカー、検相器、トルクレンチ、絶縁抵抗計、風量計、温度計であって、情報処理装置２と情報通信可能に接続でき、対象を測定した測定値等の測定結果に係るデータを情報処理装置２に出力できる。
【００２１】
情報処理装置２は、例えば、タブレットＰＣ（Personal Computer）やノート型ＰＣやスマートフォンであって、ＣＰＵ（Central Processing Unit）等の制御手段や、ＲＡＭ（Random Access Memory）、ＲＯＭ（Read Only Memory）、ＨＤ（Hard Disk）等の記憶手段や、キーボード、タッチパネル等の手入力手段や、外部機器と接続するインタフェイス（I/F）等の通信手段を有している。
【００２２】
特に、情報処理装置２のＣＰＵ等の制御手段は。記憶手段に含まれるＨＤ等に格納されているアプリケーションプログラム、オペレーティングシステム（ＯＳ）や制御プログラム等を実行し、記憶手段に含まれるＲＡＭにプログラムの実行に必要な情報、ファイル等を一時的に格納する制御を行う。
【００２３】
また、情報処理装置２の記憶手段に含まれるＨＤ等には、表計算用のアプリケーションプログラム６と、この表計算用のアプリケーションプログラム６の機能を拡張するアドインプログラム７が格納されている。なお、本実施の形態例では、表計算用のアプリケーションプログラム６として、Excelを使用し、Excelの機能を拡張するアドインプログラムを使用している。更に、情報処理装置２の記憶手段に含まれるＨＤ等には、共にアプリケーションプログラムである、音声認識エンジン８と音声合成エンジン９が格納されている。
【００２４】
音声認識エンジン８は、ユーザから音声の入力を受け付けると、当該音声を音波に変換し、当該音波について、音の最小単位である「音素」を特定する。そして、認識辞書（図示省略）を参照して、当該音声に係る音素の並びに対応する単語を特定する。なお、認識辞書には、音素の並びと単語が対応して記憶されている。
【００２５】
音声合成エンジン９は、測定結果等のテキストデータを元に、登録された音声フォント（音声素片）を最適に組合せ、違和感のない音声を合成する。そして、スピーカ（拡声器）５を通じて、測定結果等のテキストデータに係る、合成した音声を読み上げる（出力する）プログラムである。
【００２６】
また、情報処理装置２には、マイクロフォン４が有線又は無線で情報通信可能に接続されている。そのため、情報処理装置２は、マイクロフォン４を通じて、ユーザからの音声の入力を受け付けることができる。
【００２７】
また、情報処理装置２には、スピーカ５が有線又は無線で情報通信可能に接続されている。そのため、情報処理装置２は、スピーカ５を通じて、測定結果に係る音声を外部に出力することができる。なお、本実施の形態例では、情報処理装置２にスピーカ５を接続して用いる構成を示したが、この構成に限定されるものではない。例えば、情報処理装置２に音声を外部出力できるスピーカが予め内蔵されている場合には、スピーカ５の代りに、そのスピーカを用いる構成としても良い。
【００２８】
また、情報処理装置２には、表示器３がＨＤＭＩ（登録商標）ケーブルやＤＶＩケーブル等の有線や無線ＬＡＮ（Local Area Network）等の無線で情報通信可能に接続されている。表示器３は、情報処理装置２に入力された命令や、それに対する情報処理装置２の応答出力等を表示するディスプレイであって、ユーザが掛けて使用する眼鏡型である。従って、表示器３は、当該表示器３を掛けたユーザの眼前に、情報処理装置２に入力された命令や、それに対する情報処理装置２の応答出力等を表示する。なお、表示器３は、拡張現実（AR）技術により、現実の風景に情報処理装置２の応答出力等を重ね合わせて表示する眼鏡型のウエアラブル端末であっても、ユーザの網膜に直接画像等を映す網膜走査ディスプレイであっても良く、少なくとも情報処理装置２に入力された命令や、それに対する情報処理装置２の応答出力等をユーザの眼前に表示可能な構成であれば良い。但し、情報処理装置２の応答出力等が眼前に表示されていても、現実の風景に対し、ユーザの視界を遮らないような構成が望ましい。
【００２９】
＜測定記録支援システムの装着方法＞
ユーザが、測定記録支援システムを使用して、対象の測定を行う場合には、例えば、眼鏡型の表示器３を掛けて、マイクロフォン４を、ユーザの口付近にクリップ（図示省略）等を使って配置する。そして、タブレットＰＣ等の情報処理装置２を肩掛けバッグや背中に背負ったリュックサックに入れる。また、測定器１は、手に持つ。これで、測定記録支援システムの装着は完了する。このように、ユーザは、測定器１のみを手に持てば良いため、測定作業を行い易い。
【００３０】
＜測定記録支援システムの処理の流れ＞
次に、測定記録支援システムの処理の流れについて、説明する。
【００３１】
図２に示すように、原則として、測定記録支援システムの処理は、次のような流れになっている。情報処理装置２のＣＰＵ等の制御手段は、測定記録支援システムの状態を認識している（ステップＳ２０１）。そして、ユーザからの音声の入力を待受けている（ステップＳ２０２）。情報処理装置２の制御手段は、ユーザから音声（命令）の入力を受け付けると、音声認識エンジン８を用いて、また、認識辞書を参照して（ステップＳ２０３）、当該音声に係る音素の並びに対応する単語を特定する（ステップＳ２０４の「音声認識／命令特定」）。特定した単語に係る処理を行う（ステップＳ２０５）。
【００３２】
それでは、以下、処理の流れについて、図３を用いて、具体的に説明していく。
【００３３】
（初期状態、ステップＳ３０１）
まず、初期状態では、測定器１に電源が入っており、一定の周期でAdvertiseパケット（当該測定器１の識別情報を含む。）を外部に出力している。また、情報処理装置２に係るアドインプログラム７及び表計算用のアプリケーションプログラム８は、起動している。そして、測定記録支援システムは、音声入力を受け付けない「音声入力：ＯＦＦ」、手入力手段からの入力を受け付ける「キーボード（ポインティングデバイスを含む）入力：ＯＮ」の状態である。
【００３４】
（音声入力「ＯＮ」、ステップＳ３０２）
ユーザが情報処理装置２に係る手入力手段を操作することによって、情報処理装置２の制御手段が、音声入力ＯＮのアイコンのクリック等を認識する。あるいは、ユーザがマイクロフォン５に対し、「音声入力開始」に係る音声命令を発すると、情報処理装置２の制御手段は、当該音声の入力を受け付ける。その結果、情報処理装置２の制御手段は、測定記録支援システムを「音声入力：ＯＦＦ」から「音声入力：ＯＮ」の状態に変化させる。一方、測定記録支援システムを「キーボード入力：ＯＮ」から「キーボード入力：ＯＦＦ」の状態に変化させる。つまり、測定記録支援システムは、音声の入力は受け付けるが、キーボードからの入力は受け付けない状態になる。
【００３５】
なお、情報処理装置２の制御手段は、ユーザから音声の入力を受け付けると、音声認識エンジン８を用いて、当該音声を音波に変換し、当該音波について、音の最小単位である「音素」を特定する。そして、認識辞書を参照して、当該音声に係る音素の並びに対応する単語を特定し、特定した単語に係る処理を行う。つまり、情報処理装置２の制御手段は、音声認識エンジン８を用いて、ユーザからの音声に基づいて、当該音声に係る音素の並びに対応する単語を特定し、測定記録支援システムの状態に変化させたり、制御や処理を実行する。
【００３６】
（測定モード「ＯＮ」、ステップＳ３０３）
ユーザがマイクロフォン５に対し、「モード切替」に係る音声を発する。情報処理装置２の制御手段は、当該音声の入力を受け付けると、測定記録支援システムを「編集モード」から「測定モード」に変化させる。
【００３７】
（接続開始、ステップＳ３０４）
ユーザがマイクロフォン５に対し、「接続開始」に係る音声を発する。情報処理装置２の制御手段は、ユーザから当該音声の入力を受け付けると、情報処理装置２の周辺をスキャンする。そして、測定器１から出力されているAdvertiseパケットの受信に成功すると、情報処理装置２の制御手段は、表示器３を通じて、当該測定器１との接続許可を問う旨のダイアログボックスをユーザの眼前に表示させる。ユーザから「ＯＫ」に係る音声の入力を受け付けると、情報処理装置２の制御手段は、測定器１との接続を確立する。
【００３８】
一方、情報処理装置２の周辺をスキャンしても、接続したい測定器１のAdvertiseパケットを受信できなかった場合には、表示器３を通じて、接続が失敗した旨のダイアログボックスをユーザの眼前に表示させる。
【００３９】
（セルの選択、ステップＳ３０５）
ユーザがマイクロフォン５に対し、「セルの列・行番号（例えば、列：Ｃ、行：７）」に係る音声を発する。情報処理装置２の制御手段は、ユーザから当該音声の入力を受け付けると、入力された音声に係るセル上にカーソルを移動させる。なお、この操作は、表計算用のアプリケーションソフトのシート上の現在のカーソルの位置が、測定結果を入力するセルから遠い場合には、指定したセルにカーソルを直接移動できるため有効である。一方、シート上の現在のカーソルの位置が、測定結果を入力するセルから近い場合には、この操作は不要である。
【００４０】
（カーソルの移動、ステップＳ３０６）
ユーザがマイクロフォン５に対し、「移動上／下／左／右」に係る音声を発する。情報処理装置２の制御手段は、当該音声の入力を受け付けると、入力された音声に応じて、シート上にあるカーソルを移動させる。測定結果を入力するセル上にカーソルが合うまで、ユーザは、「移動上／下／左／右」に係る音声命令を繰り返す。
【００４１】
（測定結果入力、ステップＳ３０７）
ユーザがマイクロフォン５に対し、「測定結果入力」に係る音声を発する。情報処理装置２の制御手段は、ユーザから当該音声を受け付けると、測定器１に対し、「測定結果を出力せよ」との測定結果出力命令を送出する。測定器１は、情報処理装置２に対し、測定結果（テキストデータ）を出力する。
【００４２】
情報処理装置２の制御手段は、測定結果を受信すると、表示器３を通じて、当該測定結果の格納を確定するか否かを問う旨のダイアログボックスをユーザの眼前に表示させる。そして、ユーザから「確定」等の当該測定結果の格納を認める旨の音声を受け付けると、カーソルによって選択されたセルに、当該測定結果を格納（記録）する。
【００４３】
そして、情報処理装置２の制御手段は、カーソルを、「下のセル」、あるいは「右のセル」等の、当該測定結果が格納されたセルとは別のセル上に移動させる。
【００４４】
一方、情報処理装置２の制御手段は、ユーザから「中止」等の当該測定結果の格納を認めない旨の音声を受け付けると、当該測定結果の格納をキャンセルする。
【００４５】
ところで、情報処理装置２の制御手段は、所定の時間が経過しても、測定器１から測定結果の受信を認識できない場合には、表示器３を通じて、測定結果を受信できないため、測定結果の待受けを中止するか否かを問う旨のダイアログボックスをユーザの眼前に表示させる。情報処理装置２の制御手段は、ユーザから「OK」等の測定結果の待受けの中止を認める旨の音声を受け付けると、測定結果の待受けを中止する。
【００４６】
（測定結果の読み上げ、ステップＳ３０８）
情報処理装置２の制御手段は、セルに格納された測定結果（テキストデータ）を元に、音声合成エンジン９を用いて、登録された音声フォント（音声素片）を最適に組合せ、違和感のない音声を合成する。そして、スピーカ５を通じて、測定結果に係る、合成した音声を読み上げる（出力する）。ユーザは、読み上げられた測定結果を聞くことで、正しい測定結果が格納（記録）されたことを確認できる。
【００４７】
そして、ユーザは、移動する等して、次の測定対象に前に来ると、測定器１を操作して測定を行う。その後、ユーザはマイクロフォン５に対し、「測定結果入力」に係る音声を再度発する（ステップＳ３０７）。その後の処理は、上述と同様であるため、説明を省略する。なお、測定結果を入力するセル上にカーソルが合っていない場合には、ユーザは、「測定結果入力」に係る音声を発する前に、「移動上／下／左／右」に係る音声命令を発して、測定結果を入力するセル上にカーソルが合わせる（ステップＳ３０６）。
【００４８】
（入力された測定結果の訂正・再入力）
ユーザが、読み上げられた測定結果を聞いて、あるいは、表示器３によって眼前に表示された測定結果を見て、誤った測定結果が入力されていることに気づいた場合は、当該測定結果を訂正するためにまず、当該測定結果が格納されているセルにカーソルを合わせる必要がある。
【００４９】
ユーザは、「移動上／下／左／右」に係る音声を発する。情報処理装置２の制御手段は、当該音声の入力を受け付けると、入力された音声に応じて、シート上にあるカーソルを移動させ、入力されている測定結果を訂正するセル上にカーソルを合わせる。
【００５０】
次に、ユーザは「測定結果入力」に係る音声を発する。情報処理装置２の制御手段は、当該音声を受け付けると、測定器１に対し、「測定値を出力せよ」との測定結果出力命令を送出する。その後の処理の流れは、上述した内容と同様であるため、説明を省略する。
【００５１】
このように、測定記録支援システムを用いることによって、ユーザは、音声で情報処理装置２を操作して、測定結果を入力することができる。また、情報処理装置２に入力された測定結果を表示器３及び音声によって確認できるため、測定器１を手に持って操作しなければならない等、手が塞がっている場合であっても、一人の人員で、対象の測定と情報処理装置２への測定結果の入力（記録）を行うことができ、便宜である。
【００５２】
特に、例えば、測定対象が複数あり、測定器１を手に持って、移動しながら各対象を測定しなければならない場合であっても、対象の測定と情報処理装置２への測定結果の入力（記録）を的確に行うことができる。また、例えば、複数種類の測定器１を持ち替え、複数種類の項目について、対象を測定しなければならない場合であっても、対象の測定と情報処理装置２への測定結果の入力（記録）を的確に行うことができる。
【００５３】
＜変形例＞
なお、本実施の形態例では、測定器１から出力された測定結果に係るデータを、情報処理装置２が受信して記録する構成を示したが、この構成に限定されるものではない。例えば、ユーザが測定器１の測定結果を読み上げ、情報処理装置２が、マイクロフォン４を通じて、測定結果に係る音声を受信して、音声認識エンジン８を用いて、測定結果に係るテキストデータを作成し、そのテキストデータをセルに格納（記録）する構成としても良い。
【００５４】
また、本実施の形態例では、ユーザの手による入力操作を受け付けることによって、対象の測定を行う、測定器１の構成を示した。しかし、測定器１はこの構成に限定されるものではない。例えば、測定器１は、ユーザが音声によって操作可能であり、ユーザの「測定開始」等の音声入力を受け付けることによって、対象の測定を行う構成としても良い。なお、この場合、例えば、測定器１にマイクロフォンを接続し、ユーザの音声を受け付けても良いし、測定器１に予めマイクロフォンが内蔵されており、ユーザの音声を受け付けても良い。
【００５５】
更に、本実施の形態例では、マイクロフォン４とスピーカ５が別個の構成を示したが、この構成に限定されるものではない。例えば、マイクロフォン４とヘッドフォン（≒スピーカ５）が一体の、ユーザが頭に掛けて使用する、ヘッドセット（図示省略）を用いる構成としても良い。
【００５６】
また、本実施の形態例では、表計算用のアプリケーションプログラム６に測定結果を格納（記録）させる構成を示したが、この構成に限定されるものではない。例えば、製図用のアプリケーションプログラム６に測定結果を格納（記録）させる構成としても良く、要は、測定結果を格納（記録）可能なアプリケーションプログラムであれば良い。
【符号の説明】
【００５７】
１：測定器、２：情報処理装置、３：表示器、４：マイクロフォン、５：スピーカ、６：表計算用のアプリケーションプログラム、７：アドインプログラム、８：音声認識エンジン、９：音声合成エンジン
【図１】
2020187673.tif 000003
【図２】
2020187673.tif 000004
【図３】
2020187673.tif 000005